(57)【特許請求の範囲】
【請求項１】
躯体に固定された主体部と、この主体部と上記躯体の開口部を開閉する扉とに一端部と他端部とが回動可能に設けられた回動アームを有する扉装置において、
上記躯体と上記回動アームとの間には、上記扉を閉位置と開位置との間の半開位置に維持するラチエット装置が設けられており、
上記ラチエット装置が、上記主体部に接触した状態で上記躯体に固定されたラチエット本体と、上記回動アームにその回動軸線とほぼ平行な軸線を中心として回動可能に設けられた係合リンクと、この係合リンクが所定の中立位置から正逆方向へ回動したときに、係合リンクを上記中立位置に戻すように付勢する付勢手段とを備え、
上記係合リンクは、上記回動アームが上記閉位置から上記開位置側へ回動する際には先端部が上記ラチエット本体に突き当たることによって正方向へ回動され、上記正方向へ回動した係合リンクが上記ラチエット本体を上記開位置側へ乗り越えて、上記付勢手段によって半開位置に戻された状態から上記回動アームが閉位置側へ回動する際には先端部が上記ラチエット本体に突き当たることによって逆方向へ回動されるように配置され、
上記ラチエット本体の上記係合リンクの先端部が突き当たる外面には、上記回動アームが上記半開位置に回動したときに上記係合リンクの先端部が係脱可能に係合する係合部が形成され、
上記係合部は、上記係合リンクが上記正方向へ回動した状態においては、上記係合リンクに係合して上記回動アームの半開位置から閉位置側への回動を阻止し、上記係合リンクが逆方向へ回動した状態においては、上記係合リンクに係合することなく上記回動アームの上記開位置側から上記半開位置を経て上記閉位置側へ向かう回動を許容することを特徴とする扉装置。
【請求項２】
上記係合部は、上記係合リンクが逆方向へ回動した状態においては、上記係合リンクに係合することなく、上記回動アームの上記半開位置から上記開位置側への回動を許容することを特徴とする請求項１に記載の扉装置。
【発明の詳細な説明】
【０００１】
【発明の属する技術分野】
この発明は、扉用のステー等に用いるのに好適なラチエット装置及びそのラチエット装置が用いられた扉装置に関する。
【０００２】
【従来の技術】
一般に、ラチエット装置は、回動体と共に回動するラチエット車と、このラチエット車に係脱可能に係合する係合リンクとを有しており、係合リンクは、ラチエット車が一方向へ回動するときにはこれを許容し、他方向に回動するときにはラチエット車に係合して他方向への回動を阻止する。これにより、回動体の他方向への回動を阻止するようになっている。
【０００３】
【発明が解決しようとする課題】
上記従来のラチエット装置において、他方向への回動が阻止された回動体を同方向へ回動可能にする場合には、係合リンクのラチエット車に対する係合を解除する必要がある。このため、例えば水平な回動体が下方へ回動するのをラチエット装置によって阻止しているような場合には、係合リンクのラチエット車に対する係合を解除すると同時に回動体が急速に下方へ回動して不慮の事故が発生するおそれがある。このような事故を未然に防止するためには、一方の手で回動体を支えつつ、他方の手で係合リンクの係合を解除しなければならない。つまり、従来のラチエット装置では、片方の手だけでは回動体を下方（回動体がラチエット装置によって回動を阻止された方向）へ回動可能にすることができないという問題があった。
【０００４】
【課題を解決するための手段】
上記の問題を解決するために、この発明は、躯体に固定された主体部と、この主体部と上記躯体の開口部を開閉する扉とに一端部と他端部とが回動可能に設けられた回動アームを有する扉装置において、上記躯体と上記回動アームとの間には、上記扉を閉位置と開位置との間の半開位置に維持するラチエット装置が設けられており、上記ラチエット装置が、上記主体部に接触した状態で上記躯体に固定されたラチエット本体と、上記回動アームにその回動軸線とほぼ平行な軸線を中心として回動可能に設けられた係合リンクと、この係合リンクが所定の中立位置から正逆方向へ回動したときに、係合リンクを上記中立位置に戻すように付勢する付勢手段とを備え、上記係合リンクは、上記回動アームが上記閉位置から上記開位置側へ回動する際には先端部が上記ラチエット本体に突き当たることによって正方向へ回動され、上記正方向へ回動した係合リンクが上記ラチエット本体を上記開位置側へ乗り越えて、上記付勢手段によって半開位置に戻された状態から上記回動アームが閉位置側へ回動する際には先端部が上記ラチエット本体に突き当たることによって逆方向へ回動されるように配置され、上記ラチエット本体の上記係合リンクの先端部が突き当たる外面には、上記回動アームが上記半開位置に回動したときに上記係合リンクの先端部が係脱可能に係合する係合部が形成され、上記係合部は、上記係合リンクが上記正方向へ回動した状態においては、上記係合リンクに係合して上記回動アームの半開位置から閉位置側への回動を阻止し、上記係合リンクが逆方向へ回動した状態においては、上記係合リンクに係合することなく上記回動アームの上記開位置側から上記半開位置を経て上記閉位置側へ向かう回動を許容することを特徴としている。
【０００５】
この場合、上記係合部は、上記係合リンクが逆方向へ回動した状態においては、上記係合リンクに係合することなく、上記回動アームの上記半開位置から上記開位置側への回動を許容することが望ましい。
【０００７】
【発明の実施の形態】
以下、この発明の一実施の形態について図１〜図１０を参照して説明する。
図１は、この発明に係る扉装置Ａが採用された収納ボックス（躯体）Ｂを示すものであり、扉装置Ａは、収納ボックスＢの前面部を扉Ｃによって開閉するようになっている。なお、収納ボックスＢは、その側面部又は上面部が開口したものであってもよい。
【０００８】
扉Ｃは、いわゆる水平折戸と称されるもので、上扉部Ｃ１と下扉部Ｃ２とから構成されている。上扉部Ｃ１は、その上端部が収納ボックスＢの前面上端部に水平な軸線を有するヒンジＤを介して上下方向へ回動可能に連結されており、収納ボックスＢの前面開口部の上半分を閉じた閉位置と、前面開口部を開いた想像線で示す開位置との間を回動可能である。下扉部Ｃ２は、その上端部が上扉部Ｃ１の下端部に水平な軸線を有するヒンジＥを介して上下方向へ回動可能に連結されている。下扉部Ｃ２は、収納ボックスＢの前面開口部の下半分を閉じた閉位置と、想像線で示す開位置との間を回動可能である。下扉部Ｃ２は、後述するステー１の作用により、上扉部Ｃ１が上方へ回動すると、上端部が上扉部Ｃ１の下端部と共に収納ボックスＢから離れ、下端部が収納ボックスＢに接近するように回動する。この結果、上扉部Ｃ１及び下扉部Ｃ２が開位置まで回動すると、扉Ｃ全体は水平に折り畳まれた状況を呈するようになり、収納ボックスＢの前面開口部の下半分と上半分のうちの下側のほぼ半分とを開く。扉Ｃは、全体が一体に形成されていてもよく、左右の一側部が収納ボックスＢの一側部に上下方向を向く軸線を中心として水平方向へ回動可能に設けられていてもよい。
【０００９】
また、この扉装置Ａにおいては、扉Ｃを開位置及び半開位置に停止させるためにステー１及びラチエット装置８が設けられている。
まず、ステー１について説明すると、ステー１は、収納ボックスＢの側壁部内面に固定された主体部２と、基端部が主体部２に上下方向へ回動可能に連結され、先端部が扉Ｃに回動可能に連結された回動アーム３とを供えている。主体部２の固定箇所は、収納ボックスＢが前面部、側面部又は上面部のいずれかに開口しているかに対応して適宜に変更される。主体部２の内部には、回動アーム３を介して扉Ｃを上方へ付勢し、それによって扉Ｃを軽く開回動させる付勢機構、回動アーム３が閉位置側へ急速回動するのを阻止して低速回動させるダンパ機構、及び扉Ｃを回動アーム３を介して所定の開位置に維持する保持機構（いずれも図示せず）が設けられている。ただし、それらの機構は、周知のものと同様であるとともに、この発明との関係が薄いのでその説明は省略する。
【００１０】
図２及び図３に示すように、回動アーム３は、互いに別体である基部４と先部５とを有している。基部４の基端部は、主体部２に水平な軸２１を介して上下方向へ回動可能に連結されている。つまり、基部４は、扉Ｃ（上下の扉部Ｃ１，Ｃ２）の回動軸線と平行な軸線を中心として主体部２に回動可能に連結されている。先部５の先端部は、下扉Ｃ２の下端部内面にブラケット６及び軸２１と平行な軸６１を介して上下方向へ回動可能に連結されている。
【００１１】
図４に示すように、基部４は断面略「コ」字状に形成されており、基部４の先端部の内部には、先部５の基端部が回動アーム３の長手方向とほぼ平行な方向へ摺動可能に挿入されている。先部５の基端部には、先部５の摺動方向に延びる長孔５１が形成されている。一方、基部４には、長孔５１の長手方向に互いに離れたガイド軸４１，４２が設けられており、各ガイド軸４１，４２は、長孔５１にその長手方向へ相対移動可能に挿通されている。したがって、先部５は、長孔５１の一端部５１ａがガイド軸４１に突き当たるまで基部４から離れる方向へ移動可能であり、他端部５１ｂがガイド軸４２に突き当たるまで基部４に接近する方向へ移動可能である。これにより、回動アーム３の長さ（軸２１，６１間の距離）を調節することができるようになっている。なお、先部５は、基部４に対し、長孔５１の長手方向へ移動可能であるだけであり、他の方向へは移動不能になっている。
【００１２】
基部４と先部５との間には、先部５の基部４に対する位置を調節して回動アーム３の長さを調節するための位置調節機構７が設けられている。すなわち、図２〜図５に示すように、断面「コ」字状をなす基部４の先端部の開放された側部には、支持軸７１が長孔５１と平行に配置されている。この支持軸７１の一端部は、これと直交する軸７２を介して基部４に回動可能に支持されている。支持軸７１の他端部は、基部４に螺合されたボルト７３に挿脱可能に貫通されている。したがって、ボルト７３を支持軸７１の他端部に挿通して基部４に螺合固定すると、支持軸７１がその長手方向を長孔５１と同方向に向けた状態で基部４に固定される。その一方、ボルト７３を支持軸７１から抜くと、図３において想像線で示すように、支持軸７１の他端部が基部４から離れるように、支持軸７１を軸７２を中心として回動させることができる。
【００１３】
上記支持軸７１には、ウオームギヤ７４が回動自在に外挿されている。このウオームギヤ７４と対向する先部５の側部には、ウオームギヤ７４と噛み合う多数の歯を有するラック部７５が形成されてい。したがって、ウオームギヤ７４を正逆方向へ回動させると、先部５が基部４に対して長孔５１の長手方向へ移動する。それにより、回動アーム３の長さが調節されるようになっている。しかも、先部５は、ウオームギヤ７４を回動させない限りウオームギヤ７４及びラック部７５によって位置固定される。したがって、位置調節機構７は、先部５を基部４に対して位置固定する固定機構としての機能も果たしている。
【００１４】
ボルト７３を基部４から取り外して支持軸７１から抜くと、図３において想像線で示すように、ウオームギヤ７４を支持軸７１と共に軸７２を中心として回動させ、それによってウオームギヤ７４とラック部７５との噛み合いを解除することができる。その状態では、ウオームギヤ７４を回動させることなく、先部５を基部４に対して自由に移動させることができる。したがって、先部５を大きく、かつ速く移動させたいときに便利である。勿論、先部５を大きく移動させた後、ウオームギヤ７４及びボルト７３を元の状態に戻し、ウオームギヤ７４によって先部５の位置を微調整することができる。なお、ウオームギヤ７４及び支持軸７１を図３の想像線で示すように回動させたとき、ウオームギヤ７４が支持軸７１から抜け出ることが止め輪７６によって阻止されている。
【００１５】
先部５の長孔５１を間にした両側部のうちの一方の側部には、目盛５２が長孔５１の長手方向に沿って多数配置されている。先部５の長孔５１を間にした他側部には、各目盛５２に対応した数字が記載されている。各数字は、対応する目盛５２が指標部としての基部４の先端面４３と一致したときの回動アーム３の長さ（軸２１，６１間の距離）又は回動アーム３が用いられるべき扉Ｃの寸法等、つまり可動アーム３の長さに関する情報を表すようになっている。先端面４３を指標部とすることなく、基部４に一つの目盛を形成し、これを指標部としてもよい。
【００１６】
次に、ラチエット装置８について説明する。図２及び図６〜図１０に示すように、ラチエット装置８は、ラチエット本体８１と係合リンク８２とを備えている。ラチエット本体８１は、収納ボックスＢの一側部内面に固定されており、収納ボックスＢの開口部側における主体部２の端部に接触した状態で配置されている。ラチエット本体８１の配置箇所は、ステー１の配置箇所に応じて適宜変更される。ラチエット本体８は、収納ボックスＢに固定することなく、主体部２に固定してもよい。一方、係合リンク８２は、その中央部が軸２１と平行な軸８３を介して回動アーム３の基部４に回動可能に支持されている。係合リンク８２の基端部と基部４との間には、引っ張りばね（付勢手段）８４が設けられている。この引っ張りばね８４の付勢力により、係合リンク８２の先端部８２ａがラチエット本体８１側に向けられている（以下、このときの係合リンク８２の回転位置を中立位置という。）。
【００１７】
係合リンク８２は、回動アーム３を閉位置と開位置との間の半開位置に回動させると、その先端部８２ａがラチエット本体８１に突き当たるように配置されている。したがって、その状態で回動アーム３をさらに回動させると、係合リンク８２は、ラチエット本体８１により引っ張りばね８４の付勢力に抗して回動させられることになる。この場合、図７に示すように、回動アーム３を閉位置側から開位置側へ向かう方向（図７の矢印方向）へ回動させると、係合リンク８２は反時計方向（正方向）に回動させられる。図１０に示すように、回動アーム３を開位置側から閉位置側へ向かう方向（図１０の矢印方向）へ回動させると、係合リンク８２は時計方向（逆方向）に回動させられる。勿論、回動アーム３の回動に伴って係合リンク８２がラチエット本体８１を乗り越えると、係合リンク８２は引っ張りばね８４の付勢力により図６及び図９に示す元の中立位置に戻される。
【００１８】
ラチエット本体８１の外面には、二つの係合凹部（係合部）８５，８６が形成されている。二つの係合凹部８５，８６は、ラチエット本体８１の外面のうち、係合リンク８２の先端部８２ａが接触しながら通過する箇所に配置されており、軸２１を中心とする周方向（係合リンク８２が接触しながら通過する方向）に互いに隣接した状態で配置されている。係合凹部（係合部）は、一つだけ形成してもよく、三つ以上形成してもよい。
【００１９】
図８に示すように、回動アーム３が閉位置側から開位置側へ向かう方向（図８において矢印Ｘ方向）回動させられ、それによって係合リンク８２が正方向（反時計）へ回動させられた状態になっているときには、係合リンク８２の先端部８２ａが係合凹部８５と対向すると、引っ張りばね８４によって係合リンク８２が時計方向へ若干回動させられ、係合リンク８２の先端部８２ａが係合凹部８５の上側（回動アーム３の閉位置から開位置へ向かう側）の側面８５ａに突き当たる。ただし、この状態においても、係合リンク８２は、中立位置に対して正方向へ回動させられた状態を維持している。先端部８２ａが側面８５ａに突き当たって状態において、回動アーム３を開位置側から閉位置側へ向かう方向（図８において矢印Ｙ方向）へ若干回動させると、係合リンク８２の先端部８２ａが係合凹部８５に嵌り込む。このとき、先端部８２ａと係合凹部８５との接触箇所をＣ１とすると、この接触箇所Ｃ１は、軸２１の中心Ｃ２及び軸８３の中心Ｃ３とで三角形を形成するように位置する。しかも、接触箇所Ｃ１は、回動アーム３の閉位置側への回動方向において中心Ｃ２，Ｃ３より前方に位置する。したがって、係合凹部８５に係合した係合リンク８２は、逆方向（時計方向）への回動が係合凹部８５によって阻止される。その結果、回動アーム３の閉位置側への回動が係合リンク８２によって阻止される。これにより、扉Ｃが所定の半開位置（以下、第１半開位置という。）に維持される。
【００２０】
第１半開位置に維持された回動アーム３を開位置側へ回動させると、係合リンク８２が係合凹部８５の側面８５ａによって再び正方向へ回動させられつつ、側面８５ａを乗り越える。回動アーム３がさらに開位置側へ回動して、係合リンク８２の先端部８２ａが係合凹部８６と対向すると、引っ張りばね８４の付勢力によって先端部８２ａが係合凹部８６の側面８６ａに突き当てられる。その状態において回動アーム３を若干閉位置側へ回動させると、係合リンク８２の先端部が係合凹部８６に嵌り込む。すると、係合リンク８２が係合凹部８５に嵌り込んだときと同様にして、回動アーム３の閉位置側への回動が阻止され、ひいては扉Ｃが所定の半開位置（以下、第２半開位置という。）に維持される。
【００２１】
第２半開位置に維持された回動アーム３を開位置側へさらに回動させると、係合リンク８２が係合凹部８６の側面８６ａによって再び正方向へ若干回動させられつつ、側面８６ａを乗り越える。そして、係合リンク８２の先端部８２ａがラチエット本体８１を通過すると、図９に示すように、係合リンク８２は引っ張りばね８４によって中立位置に戻される。
なお、上記の内容からも明かなように、回動アーム３を閉位置側から開位置側へ単純に回動させたときには、係合リンク８２がラチエット本体８１によって正方向へ回動させられた状態でラチエット本体８１を乗り越える。したがって、扉Ｃは、閉位置から開位置までスムースに回動させることができる。
【００２２】
図９に示す状態において、回動アーム３を閉位置側へ回動させると、係合リンク８２の先端部８２ａがラチエット本体８１に突き当たることにより、図１０に示すように、係合リンク８２が引っ張りばね８４の付勢力に抗して逆方向（時計方向）へ回動させられる。係合リンク８２が逆方向へ回動させられた状態においては、係合リンク８２とラチエット本体８１との接触箇所をＣ４とすると、この接触箇所Ｃ４は、回動アーム３がいずれの回動位置に回動していようとも、回動アーム３の閉位置側への回動方向において軸２１の中心Ｃ２および軸８３の中心Ｃ３より後方側に位置する。したがって係合リンク８２は、回動アーム３が閉位置側へ回動するときには、逆方向へ回動可能であり、回動アーム３が閉位置側へ回動するのを阻止することがない。よって、扉Ｃは、開位置側から第２及び第１半開位置をスムースに越えて閉位置側へ回動することができる。
【００２３】
また、係合リンク８２が中立位置から逆方向へ回動させられた状態において、回動アーム３を開位置側へ回動させた場合には、係合リンク８２の先端部８２ａは係合凹部８５，８６の側面８５ａ，８６ａを凹部８５，８６の底部側から開放側へ向かって滑り移動することができるように、側面８５ａ，８６ａの傾斜角度が決定されている。したがって、係合リンク８２がラチエット本体８１によって逆方向へ回動させられた状態では、係合リンク８２が係合凹部８５、８６に係合することがない。したがって、係合リンク８２が逆方向に回動した状態にあるならば、回動アーム３及び扉Ｃは、開位置側及び閉位置側へのいずれの側へも回動することができる。
【００２４】
上記構成の扉装置において、第１又は第２半開位置に維持された扉Ｃを閉位置に戻す場合には、係合リンク８２がラチエット本体８１を通過するまで扉Ｃを開位置側へ移動させた後、回動アーム３を閉位置まで閉回動させるだけでよい。したがって、一方の手で扉Ｃ又は回動アーム３を支えながら他方の手で係合リンク８２とラチエット本体８１との係合を解除する必要がない。よって、ラチエット装置８によって第１又は第２半開位置に維持された扉Ｃは、片方の手だけで閉位置に戻すことができる。
【００２５】
なお、この発明は、上記の実施の形態に限定されるものでなく、適宜変更可能である。
例えば、上記実施の形態においては、ラチエット本体８１を収納ボックスＢ又は本体部２に、係合リンク８２を回動アーム３に設けているが、ラチエット本体８１を回動アーム３に、係合リンク８２を収納ボックスＢ又は本体部２に設けてもよい。
また、付勢手段として引っ張りばね８４を用いているが、他の付勢手段、例えば渦巻きばね等を用いてもよい。
【００２６】
【発明の効果】
以上説明したように、この発明によれば、ラチエット本体と係合リンクとによって一方向への回動が阻止された回動体については、係合リンクがラチエット本体から離れるまで回動体を他方向へ回動させるだけで、一方向へ回動可能にすることができる。したがって、両手を使用することなく、片手だけで回動体の一方向への回動操作を行うことができるという効果が得られる。
【図面の簡単な説明】
【図１】この発明に係るラチエット装置及び扉装置が採用された収納ボックスを示す測断面図である。
【図２】同収納ボックスに用いられているステーを示す側面図である。
【図３】同ステーのアームの長さを調節するための位置調節機構を示す拡大図である。
【図４】図３のＸ−Ｘ線に沿う断面図である。
【図５】図３のＹ−Ｙ線に沿う断面図である。
【図６】同収納ボックスの収納ボックスとステーの回動アームとの間に設けられたこの発明に係るラチエット装置を示す図であって、回動アームが閉位置に位置しているときの状態を示している。
【図７】回動アームが閉位置から開位置側へ回動することにより、ラチエット装置の係合リンクがラチエット本体によって反時計方向へ回動させられた状態を示す図６と同様の図である。
【図８】扉を第１半開位置に回動させたときのラチエット本体と係合リンクとの関係を示す図６と同様の図である。
【図９】係合リンクがラチエット本体を通過するまで回動アームを閉位置側から開位置側へ回動させたときの状態を示す図６と同様の図である。
【図１０】回動アーム開位置側から閉位置側へ回動することにより、係合リンクがラチエット本体によって時計方向へ回動させられた状態を示す図６と同様の図である。
【符号の説明】
Ａ  扉装置
Ｂ  収納ボックス（躯体）
Ｃ  扉
１  ステー
３  回動アーム（回動体）
８  ラチエット装置
８１  ラチエット本体
８２  係合リンク
８４  引っ張りばね（付勢手段）
８２ａ  係合リンクの先端部
８５  係合凹部（係合部）
８６  係合凹部（係合部）
【図１】
0003577267.tif 000002
【図２】
0003577267.tif 000003
【図３】
0003577267.tif 000004
【図４】
0003577267.tif 000005
【図５】
0003577267.tif 000006
【図６】
0003577267.tif 000007
【図７】
0003577267.tif 000008
【図８】
0003577267.tif 000009
【図９】
0003577267.tif 000010
【図１０】
0003577267.tif 000011